(57)【要約】【課題】  導光体を両面粘着テープによってフレームに固定する際に、両面粘着テープが導光体の側面に付着してしまう虞がなく、輝度むらの少ない光の放射を可能とする面光源装置を提供する。【解決手段】  一主面を光の出射面６ａとし、この出射面６ａと略直交する面を入射面とする導光体６と、この導光体６の入射面に発光面が対向するよう配置された光源５と、この光源５と導光体６を保持する略Ｌ字断面形状の固定部１２を設けたフレーム３を備えると共に、固定部１２に形成された棚状部１２ａの接着面１５上に貼付した両面粘着テープ１３により導光体６の他主面を固着してなるもので、フレーム３の固定部１２が、棚状部１２ａの接着面１５の延長方向に壁部１２ｂを備え、該壁部１２ｂに両面粘着テープ１３の変位分が収納される凹所１６を備えている。【選択図】  図２
2006244842.tif 000002
【特許請求の範囲】
【請求項１】
一主面を光の出射面とし、この出射面と略直交する面を入射面とする導光体と、この導光体の入射面に発光面が対向するよう配置された光源と、この光源と前記導光体を保持する略Ｌ字断面形状の固定部を設けたフレームを備えると共に、前記固定部に形成された棚状部の接着面上に貼付した両面粘着テープにより前記導光体の他主面を固着した面光源装置であって、前記フレームの固定部が、前記棚状部の接着面の延長方向に壁部を備え、該壁部と導光体端面間に前記両面粘着テープの変位分が収納される凹所を備えていることを特徴とする面光源装置。
【請求項２】
前記固定部の凹所が、前記壁部側に延在したものであることを特徴とする請求項１記載の面光源装置。
【請求項３】
前記固定部の凹所が、前記固定部の板厚方向に延在したものであることを特徴とする請求項１記載の面光源装置。
【発明の詳細な説明】
【技術分野】
【０００１】
本発明は、例えば液晶表示装置に好適する面光源装置に関する。
【背景技術】
【０００２】
周知の通り、光源に冷陰極管や発光ダイオード（ＬＥＤ）を用い、この光源と導光体とを組合わせて構成した面光源装置は、ＯＡ機器や情報端末機器、パーソナルコンピュータ、テレビ受像機などの液晶表示装置における照明装置として用いられている。そして、このような用途の面光源装置には、例えば、以下にその一部を断面として示す図５を用いて説明するような構成を有するものがある。
【０００３】
すなわち、図５において、１００は面光源装置であり、１０１は面光源装置１００を構成する枠状のフレームで、フレーム１０１には、上面（液晶パネル側）を光の出射面１０２ａとし、この上面に直交する図示しない側面を光の入射面とする導光体１０２が、両面粘着テープ１０３で固着することにより保持されている。またフレーム１０１には、導光体１０２と共に図示しない光源が、その発光面を導光体１０２の入射面に対向するように保持されている。さらに導光体１０２の上面上には、拡散シート１０４やプリズムシート１０５等の複数の光学シートが配置されており、また下面（液晶パネルとは反対側）側には反射シート１０６が設けられている。
【０００４】
また、フレーム１０１への導光体１０２の固定については、先ず、フレーム１０１の内縁側に設けられた断面形状が略Ｌ字形状の固定部１０７の棚状部１０７ａ上に、細い帯状の両面粘着テープ１０３をフレーム１０１の内縁に沿って貼付しておく。そして、フレーム１０１の固定部１０７の壁部１０７ｂを位置決めに使うようにして、固定部１０７に貼付した両面粘着テープ１０３上に導光体１０２の入射面とは逆の対向側面１０２ｂ側の下面辺縁部分を斜め方向より押し付けて固定し、その後、導光体１０２の入射面側部分をフレーム方向に押圧しながら取着し、導光体１０２をフレーム１０１の固定部１０７上に固定する。
【０００５】
そして、この導光体１０２の下面に集光用プリズムを形成することにより、用いる光学シート類の使用枚数を削減し、また導光体１０２に乱反射による輝度むらを起こす原因となる固定用の突起、もしくは凹部を設けない構造にするために、両面粘着テープ１０３により導光体１０２をフレーム１０１に固定する構成とすることにより、近年の液晶表示装置の薄型軽量化に対応させている。
【０００６】
しかしながら上記の従来技術においては、フレーム１０１に導光体１０２を固定した際に、両面粘着テープ１０３がその押圧力によって移動して所定位置より変位したり、両面粘着テープ１０３自体が押しつぶされて変位したりする場合が生ずる。そのようなケースの場合には、それにより両面粘着テープ１０３の一部が、フレーム１０１の固定部１０７の壁部１０７ｂと導光体１０２の対向側面１０２ｂの間にはみ出し、さらに、はみ出した両面粘着テープ１０３が、導光体１０２の対向側面１０２ｂに付着して固定されてしまう場合がある。こうした場合、対向側面１０２ｂに付着した両面粘着テープ１０３の粘着材に光源から導光体１０２に導入された光が当たって乱反射し、乱反射した光が導光体１０２の出射面１０２ａから出射される結果、均一な光の放射とならず、液晶表示装置においては、その表示画面に乱反射光が入り込み、輝度むらとなって表示品位の低下を引き起こす虞があった。
【発明の開示】
【発明が解決しようとする課題】
【０００７】
上記のような状況に鑑みて本発明はなされたもので、その目的とするところは、導光体を両面粘着テープによってフレームに固定する際に、両面粘着テープが導光体の側面に付着してしまうことがなく、両面粘着テープの粘着材による乱反射光が発生せず、均一な光が導光体の出射面から放射させることができ、液晶表示装置においては、乱反射光による輝度むらがなく、表示品位の低下を引き起こす虞のない面光源装置を提供することにある。
【課題を解決するための手段】
【０００８】
本発明の面光源装置は、一主面を光の出射面とし、この出射面と略直交する面を入射面とする導光体と、この導光体の入射面に発光面が対向するよう配置された光源と、この光源と導光体を保持する略Ｌ字断面形状の固定部を設けたフレームを備えると共に、固定部に形成された棚状部の接着面上に貼付した両面粘着テープにより導光体の他主面を固着した面光源装置であって、フレームの固定部が、棚状部の接着面の延長方向に壁部を備え、該壁部と導光体端面間に両面粘着テープの変位分が収納される凹所を備えていることを特徴とするものである。
【発明の効果】
【０００９】
以上の説明から明らかなように、本発明によれば、導光体を両面粘着テープによりフレームに固定する際、両面粘着テープが導光体の側面へはみ出して付着するといったことが防止でき、それにより、両面粘着テープの粘着材による乱反射光の発生がなくなって、導光体の出射面からは均一な光を放射させることができ、さらに、液晶表示装置においては、乱反射光による輝度むらがなくなり、表示品位の低下を防止できる等の効果を奏する。
【発明を実施するための最良の形態】
【００１０】
以下本発明の一実施形態を、図１乃至図４を参照して説明する。図１は面光源装置全体の構成を示す分解斜視図であり、図２は要部の断面図であり、図３は要部の一部切欠斜視図であり、図４は液晶表示装置の概略構成を示す断面図である。
【００１１】
図１乃至図４において、液晶表示装置２などに用いられる面光源装置１は、合成樹脂等を用いて成形された略方形状の枠状のフレーム３に、冷陰極管４を用いた光源５と、例えばポリカーボネイト樹脂やアクリル樹脂等の透光性樹脂で形成された所定厚さの略方形平板状の導光体６を支持して構成されている。導光体６は、その一つの主面である上面（液晶パネル側）が光の出射面６ａで、この上面に直交する側面が光の入射面６ｂとなっており、さらに、出射面６ａの裏面となる下面（液晶パネルとは反対側）には、図示しないが集光用プリズムが多数形成されている。また導光体６の出射面６ａ上には拡散シート７及びプリズムシート８等からなら複数枚の光学シートが配置されており、さらに、導光体６の下面側には反射シート９が配置されている。
【００１２】
また、光源５の冷陰極管４は、導光体６の光の入射面６ｂに対向する位置に、その両端に装着されたゴムホルダ１０により支持されるようにして、フレーム３に取り付けられており、冷陰極管４からの放射光が直接導光体６に入射するようになっている。さらに、フレーム３には、光源５を構成する断面形状が略半円状の反射面を有するリフレクタ１１が、冷陰極管４からの放射光を反射し、反射光が導光体６の入射面６ｂに向かうよう、冷陰極管４に対し導光体６の入射面６ｂ側とは逆側となる位置に、近接して取り付けられている。
【００１３】
また、フレーム３には、少なくとも導光体６の入射面６ｂに対向する対向側面６ｃ側の枠部材３ａの内縁側部分に、断面形状が略Ｌ字形状である固定部１２が設けられている。この固定部１２は、両面粘着テープ１３を介在させて導光体６をその対向側面６ｃ側部分で支持すると共に、反射シート９を支持するもので、内方に向かう棚状部１２ａと、棚状部１２ａに直交する壁部１２ｂとで構成されている。さらに、棚状部１２ａは、その先端上部に反射シート９を支持する段部１４が形成されており、また段部１４から壁部１２ｂ側にかけての上部には、支持する導光体６の主面に平行な面の接着面１５が形成されている。
【００１４】
一方、固定部１２の棚状部１２ａに直交する壁部１２ｂは、少なくともその一部が支持する導光体６の対向側面６ｃに対向するものであり、さらに、壁部１２ｂの棚状部１２ａの接着面１５延長方向部分には、凹所１６が枠部材３ａの長手方向に形成されている。なお、凹所１６の深さは、導光体６を固着する際に接着部分から延出する両面粘着テープ１３の変位部分を収納する深さ寸法であると共に、略Ｌ字形状をなす固定部１２の棚状部１２ａと壁部１２ｂとが交差する部分近傍での棚状部１２ａの棚厚さと、凹所１６部分での壁部１２ｂの壁厚さとが、略等しい厚さとなるような深さ寸法となっている。
【００１５】
そして、フレーム３への導光体６の固定については、先ず、フレーム３の枠部材３ａの内縁側に設けられた固定部１２の棚状部１２ａの接着面１５の上に、両面に感圧粘着剤が付けられた例えば厚さが０．１ｍｍ〜０．１５ｍｍ程度の細い帯状の両面粘着テープ１３を、壁部１２ｂに沿って貼付しておく。その後、フレーム３の固定部１２の壁部１２ｂを、例えば導光体６の対向側面６ｃを突き当てるなど位置決めに使いながら、棚状部１２ａの接着面１５に貼付した両面粘着テープ１３上に導光体６の対向側面６ｃ側の下面辺縁部分を斜め方向より押し付けて固定する。さらに、導光体６の入射面６ｂ側部分をフレーム３方向に押圧しながら取着し、導光体６をフレーム３の固定部１２に固定する。
【００１６】
また、上記のようにして構成された面光源装置１には、図４に示すように、導光体６上に設けた拡散シート７やプリズムシート８等の光学シートの上に液晶表示素子（液晶パネル）１７が配置される。そして、外カバー１８が、液晶表示素子１７の上を覆うと共に、液晶表示素子１７と面光源装置１を固定するように外カバー１８とフレーム３とを嵌合固定することによって、液晶表示装置２が構成される。
【００１７】
このようにして構成された面光源装置１と液晶表示装置２においては、面光源装置１の構成を上記した通りのものとし、導光体６をフレーム３に固定するので、導光体６の対向側面６ｃ側を接着する際に両面粘着テープ１３が導光体６によって、押圧される。この導光体６の押圧時に両面粘着テープ１３が確実にフレーム３の所定位置に接着されており、且つ導光体６の挿入角度が所定角度の範囲内で固定をしないと正規の状態で固定することができなくなる。これらの関係が崩れると両面粘着テープ１３が導光体６の挿入方向に位置ずれして変位したり、両面粘着テープ１３自体が延び広がって変位してしまい、両面粘着テープ１３は導光体６の対向側面６ｃ側の辺縁からはみ出ることになる。しかし、辺縁からはみ出た両面粘着テープ１３の変位部分は、接着面１５の延長方向の壁部１２ｂに凹所１６が形成されているため、その凹所１６内に吸収されてしまうことになる。従って両面粘着テープ１３が位置ずれやはみ出しによって導光体６の対向側面６ｃにその変位分が付着するということがなくなる。その結果、両面粘着テープ１３の粘着材による乱反射光の発生が抑止されるために、導光体６の出射面６ａからは、斑の少ない、均一な光が出射される。さらに、壁部１２ｂに設ける凹所１６の深さを、略Ｌ字形状をなす固定部１２の棚状部１２ａと壁部１２ｂの交差部分近傍におけるそれぞれの厚さ寸法が、略同じとなるような寸法とすることで、合成樹脂材料によって成形したフレーム３の略Ｌ字断面形状とした固定部１２における引け等の成形歪を少ないものとすることができる。
【００１８】
また、液晶表示装置２では、面光源装置１から出射される光が、斑の少ない、均一な光であることから、表示画面に乱反射光が入り込み、輝度むらとなって表示品位の低下を引き起こす虞がなくなり、良好な品位の表示を行うことができる。
【００１９】
なお、上記の実施形態においては、固定部１２の両面粘着テープ１３の変位分を収納する凹所１６を、壁部１２ｂのみに配設するようにしたが、壁部１２ｂと棚状部１２ａとの両方にまたがり連通するように配設してもよい。あるいは棚状部１２ａの厚さ方向に直交する状態となる凹所１６として形成することも可能で、この場合には壁部１２ｂには何らの加工も施す必要がないので壁部１２ｂを平坦な面に形成でき、壁部１２ｂに凹所１６を形成した場合の若干の乱反射を抑制し得る効果を生じさせることが可能となる。
【図面の簡単な説明】
【００２０】
【図１】本発明の実施形態を示す分解斜視図である。
【図２】本発明の実施形態における要部の断面図である。
【図３】本発明の実施形態における要部の一部切欠斜視図である。
【図４】本発明の実施形態に係る液晶表示装置の概略構成を示す断面図である。
【図５】従来技術を示すフレームと導光体との固定部分の断面図である。
【符号の説明】
【００２１】
３…フレーム
５…光源
６…導光体
６ａ…出射面
６ｂ…入射面
１２…固定部
１２ａ…棚状部
１２ｂ…壁部
１３…両面粘着テープ
１５…接着面
１６…凹所
【図１】
2006244842.tif 000003
【図２】
2006244842.tif 000004
【図３】
2006244842.tif 000005
【図４】
2006244842.tif 000006
【図５】
2006244842.tif 000007